Podtech/llm-jp-corpus-v4-ja_patent huggingface dataset:
【手続補正書】
【提出日】平成27年6月8日(2015.6.8)
【手続補正１】
【補正対象書類名】明細書
【補正対象項目名】０００８
【補正方法】変更
【補正の内容】
【０００８】
上記目的を達成するために、本発明の印刷装置は、複数の給紙段に設定されている用紙種類をユーザが確認するための画面を表示する表示手段と、前記画面において、前記複数の給紙段と前記複数の給紙段に設定されている用紙種類の対応関係を記憶するようにユーザに指示された場合に、前記対応関係を示す設定情報を記憶する記憶手段と、前記記憶手段が記憶している複数の設定情報の中から特定の設定情報を選択する選択手段と、前記選択手段によって選択された前記特定の設定情報に基づいて、前記複数の給紙段に用紙種類を設定する設定手段とを備えることを特徴とする。また、上記目的を達成するために、本発明の他の印刷装置は、印刷処理を実行する印刷手段と、前記印刷手段が前記印刷処理を実行する場合に、複数の給紙段と当該複数の給紙段に設定されている用紙種類の対応関係を示す複数の設定情報を記憶する記憶手段と、前記記憶手段が記憶している複数の設定情報の中から特定の設定情報を選択する選択手段と、前記選択手段によって選択された前記特定の設定情報に基づいて、給紙段に用紙種類を設定する設定手段とを備えることを特徴とする。
【手続補正２】
【補正対象書類名】特許請求の範囲
【補正対象項目名】全文
【補正方法】変更
【補正の内容】
【特許請求の範囲】
【請求項１】
印刷装置であって、
複数の給紙段に設定されている用紙種類をユーザが確認するための画面を表示する表示手段と、
前記画面において、前記複数の給紙段と前記複数の給紙段に設定されている用紙種類の対応関係を記憶するようにユーザに指示された場合に、前記対応関係を示す設定情報を記憶する記憶手段と、
前記記憶手段が記憶している複数の設定情報の中から特定の設定情報を選択する選択手段と、
前記選択手段によって選択された前記特定の設定情報に基づいて、前記複数の給紙段に用紙種類を設定する設定手段とを備えることを特徴とする印刷装置。
【請求項２】
前記複数の設定情報の中からユーザが所望の設定情報を選択するための選択画面を表示する表示手段を更に備え、
前記選択手段は、前記選択画面でユーザに選択された設定情報を、前記特定の設定情報として選択することを特徴とする請求項１に記載の印刷装置。
【請求項３】
印刷装置であって、
印刷処理を実行する印刷手段と、
前記印刷手段が前記印刷処理を実行する場合に、複数の給紙段と当該複数の給紙段に設定されている用紙種類の対応関係を示す設定情報を記憶する記憶手段と、
前記記憶手段が記憶している複数の設定情報の中から特定の設定情報を選択する選択手段と、
前記選択手段によって選択された前記特定の設定情報に基づいて、給紙段に用紙種類を設定する設定手段とを備えることを特徴とする印刷装置。
【請求項４】
前記記憶手段は、印刷履歴と対応付けて前記設定情報を記憶し、
前記選択手段は、複数の印刷履歴の中からユーザに選択された特定の印刷履歴に対応する設定情報を、前記特定の設定情報として選択することを特徴とする請求項３に記載の印刷装置。
【請求項５】
前記設定手段は、前記複数の給紙段すべてに用紙情報を設定するか、又は、前記複数の給紙段すべてではなく印刷処理で使用する用紙種類が設定されている給紙段に用紙情報を設定するかを、ユーザ指示に基づいて切り替え可能であることを特徴とする請求項３又は４に記載の印刷装置。
【請求項６】
前記記憶手段が記憶する前記設定情報には、ユーザが指定した名称が設定されることを特徴とする請求項１乃至５のいずれか１項に記載の印刷装置。
【請求項７】
印刷装置の制御方法であって、
複数の給紙段に設定されている用紙種類をユーザが確認するための画面を表示する表示ステップと、
前記画面において、前記複数の給紙段と前記複数の給紙段に設定されている用紙種類の対応関係を記憶するようにユーザに指示された場合に、前記対応関係を示す設定情報を記憶する記憶ステップと、
前記記憶手段が記憶している複数の設定情報の中から特定の設定情報を選択する選択ステップと、
前記選択ステップで選択された前記特定の設定情報に基づいて、前記複数の給紙段に用紙種類を設定する設定ステップとを有することを特徴とする印刷装置の制御方法。
【請求項８】
印刷装置の制御方法であって、
印刷処理を実行する印刷ステップと、
前記印刷ステップにおいて前記印刷処理を実行する場合に、複数の給紙段と当該複数の給紙段に設定されている用紙種類の対応関係を示す設定情報を記憶する記憶ステップと、
前記記憶ステップにおいて記憶された複数の設定情報の中から特定の設定情報を選択する選択ステップと、
前記選択ステップにおいて選択された前記特定の設定情報に基づいて、給紙段に用紙種類を設定する設定ステップとを有することを特徴とする印刷装置の制御方法。
【請求項９】
請求項７又は８に記載の印刷装置の制御方法をコンピュータに実行させるためのプログラム。
【手続補正書】
【提出日】平成27年4月8日(2015.4.8)
【手続補正１】
【補正対象書類名】特許請求の範囲
【補正対象項目名】全文
【補正方法】変更
【補正の内容】
【特許請求の範囲】
【請求項１】
ノズルが形成されたノズル面、前記ノズルに連通する圧力室、および、当該圧力室内に圧力変動を生じさせる圧力発生手段を有し、当該圧力発生手段を駆動させて圧力室に圧力変動を生じさせることで、ノズルから液体を噴射させる液体噴射ヘッドと、
当該液体噴射ヘッドが複数取り付けられる支持部材と、
を備えた液体噴射ヘッドユニットであって、
前記支持部材は、
取り付けられる液体噴射ヘッドのノズル面に対して垂直な取付面を有する支持壁部と、
該支持壁部の取付面から当該取付面に対して交差する方向に突出したフランジ部と、
を備えたことを特徴とする液体噴射ヘッドユニット。
【請求項２】
前記フランジ部は、前記支持壁部の前記液体噴射ヘッドのノズル面とは反対側の面側に備えられたことを特徴とする請求項１に記載の液体噴射ヘッドユニット。
【請求項３】
前記支持部材が金属製であることを特徴とする請求項１または請求項２に記載の液体噴射ヘッドユニット。
【請求項４】
前記取付面は、前記支持壁部の板厚方向の両側に設けられ、かつ、前記液体噴射ヘッドの嵌合凸部と嵌合する嵌合凹部を有することを特徴とする請求項１から請求項３の何れか一項に記載の液体噴射ヘッドユニット。
【請求項５】
前記取付面のうち、前記ノズル面に対して平行な方向における前記嵌合凹部の両側に、前記液体噴射ヘッドが取り付けられるためのねじ穴が開設されたことを特徴とする請求項４に記載の液体噴射ヘッドユニット。
【請求項６】
前記液体噴射ヘッドは、
前記圧力発生手段を収容するヘッドケースと、
当該ヘッドケースにねじで固定され、前記嵌合凸部を有し、かつ、前記ヘッドケースよりも剛性が高いヘッド固定部材と、
を備えたことを特徴とする請求項４または請求項５に記載の液体噴射ヘッドユニット。
【請求項７】
請求項１から請求項６の何れか一項に記載の液体噴射ヘッドユニットを備えたことを特徴とする液体噴射装置。
【手続補正２】
【補正対象書類名】明細書
【補正対象項目名】００１２
【補正方法】変更
【補正の内容】
【００１２】
この構成によれば、支持壁部の剛性を高めることができるため、支持壁部の取付面に対して垂直な方向の板厚を一層薄くすることができる。
また、上記各構成において、前記取付面は、前記支持壁部の板厚方向の両側に設けられ、かつ、前記液体噴射ヘッドの嵌合凸部と嵌合する嵌合凹部を有することが望ましい。
さらに、上記構成において、前記取付面のうち、前記ノズル面に対して平行な方向における前記嵌合凹部の両側に、前記液体噴射ヘッドが取り付けられるためのねじ穴が開設されることが望ましい。
また、上記各構成において、前記液体噴射ヘッドは、
前記圧力発生手段を収容するヘッドケースと、
当該ヘッドケースにねじで固定され、前記嵌合凸部を有し、かつ、前記ヘッドケースよりも剛性が高いヘッド固定部材と、
を備えることが望ましい。
【手続補正書】
【提出日】平成27年6月5日(2015.6.5)
【手続補正１】
【補正対象書類名】特許請求の範囲
【補正対象項目名】全文
【補正方法】変更
【補正の内容】
【特許請求の範囲】
【請求項１】
複数のシート保持部を備える印刷装置であって、
シートの供給元として使用するシート保持部を前記複数のシート保持部から選択する選択手段と、
前記選択手段によって選択されたシート保持部から供給されるシートに画像を印刷する印刷手段と、を備え、
前記選択手段は、前記複数のシート保持部のうち、保持されているシートのサイズを検知可能なシート保持部を、保持されているシートのサイズを検知可能でないシート保持部よりも優先して選択することを特徴とする印刷装置。
【請求項２】
保持されているシートのサイズを検知可能なシート保持部は、シートのサイズを検知するためのセンサが備えられたシート保持部であり、保持されているシートのサイズを検知可能でないシート保持部は、前記センサが備えられていないシート保持部であることを特徴とする請求項１に記載の印刷装置。
【請求項３】
前記選択手段は、保持されているシートのサイズを検知可能なシート保持部がない場合には、保持されているシートのサイズを検知可能でないシート保持部を選択することを特徴とする請求項１または２に記載の印刷装置。
【請求項４】
前記選択手段は、保持されているシートのサイズを検知可能なシート保持部であっても、シートが保持されていないシート保持部は選択しないことを特徴とする請求項１乃至３のいずれか１項に記載の印刷装置。
【請求項５】
複数のシート保持部を備える印刷装置であって、
シートの供給元として使用するシート保持部を前記複数のシート保持部から選択する選択手段と、
前記選択手段によって選択されたシート保持部から供給されるシートに画像を印刷する印刷手段と、を備え、
前記選択手段は、前記複数のシート保持部のうち、保持されているシートの種類を検知可能なシート保持部を、保持されているシートの種類を検知可能でないシート保持部よりも優先して選択することを特徴とする印刷装置。
【請求項６】
保持されているシートの種類を検知可能なシート保持部は、シートの種類を検知するためのセンサが備えられたシート保持部であり、保持されているシートの種類を検知可能でないシート保持部は、前記センサが備えられていないシート保持部であることを特徴とする請求項５に記載の印刷装置。
【請求項７】
前記選択手段は、保持されているシートの種類を検知可能なシート保持部がない場合には、保持されているシートの種類を検知可能でないシート保持部を選択することを特徴とする請求項５または６に記載の印刷装置。
【請求項８】
前記選択手段は、保持されているシートの種類を検知可能なシート保持部であっても、シートが保持されていないシート保持部は選択しないことを特徴とする請求項５乃至７のいずれか１項に記載の印刷装置。
【請求項９】
複数のシート保持部を備える印刷装置の制御方法であって、
シートの供給元として使用するシート保持部を前記複数のシート保持部から選択する選択工程と、
前記選択工程で選択されたシート保持部から供給されるシートに画像を印刷する印刷工程と、を備え、
前記選択工程では、前記複数のシート保持部のうち、保持されているシートのサイズを検知可能なシート保持部を、保持されているシートのサイズを検知可能でないシート保持部よりも優先して選択することを特徴とする印刷装置の制御方法。
【請求項１０】
複数のシート保持部を備える印刷装置の制御方法であって、
シートの供給元として使用するシート保持部を前記複数のシート保持部から選択する選択工程と、
前記選択工程で選択されたシート保持部から供給されるシートに画像を印刷する印刷工程と、を備え、
前記選択工程では、前記複数のシート保持部のうち、保持されているシートの種類を検知可能なシート保持部を、保持されているシートの種類を検知可能でないシート保持部よりも優先して選択することを特徴とする印刷装置の制御方法。
【請求項１１】
請求項９または１０に記載のシート処理装置の制御方法をコンピュータに実行させるためのプログラム。
【手続補正２】
【補正対象書類名】明細書
【補正対象項目名】００１４
【補正方法】変更
【補正の内容】
【００１４】
本発明は、上記の課題を解決するためになされたものである。本発明の目的は、保持されているシートのサイズまたは種類を検知可能なシート保持部と、保持されているシートのサイズまたは種類を検知可能でないシート保持部の両方を備える印刷装置で、ユーザの意図しない印刷物が出力される可能性を減らす仕組みを提供することを目的とする。
【手続補正３】
【補正対象書類名】明細書
【補正対象項目名】００１５
【補正方法】変更
【補正の内容】
【００１５】
本発明の印刷装置は、複数のシート保持部を備える印刷装置であって、シートの供給元として使用するシート保持部を前記複数のシート保持部から選択する選択手段と、前記選択手段によって選択されたシート保持部から供給されるシートに画像を印刷する印刷手段と、を備え、前記選択手段は、前記複数のシート保持部のうち、保持されているシートのサイズを検知可能なシート保持部を、保持されているシートのサイズを検知可能でないシート保持部よりも優先して選択することを特徴とする。
また、本発明の印刷装置は、複数のシート保持部を備える印刷装置であって、シートの供給元として使用するシート保持部を前記複数のシート保持部から選択する選択手段と、前記選択手段によって選択されたシート保持部から供給されるシートに画像を印刷する印刷手段と、を備え、前記選択手段は、前記複数のシート保持部のうち、保持されているシートの種類を検知可能なシート保持部を、保持されているシートの種類を検知可能でないシート保持部よりも優先して選択することを特徴とする。
【手続補正４】
【補正対象書類名】明細書
【補正対象項目名】００１６
【補正方法】変更
【補正の内容】
【００１６】
本発明によれば、保持されているシートのサイズまたは種類を検知可能なシート保持部と、保持されているシートのサイズまたは種類を検知可能でないシート保持部の両方を備える印刷装置で、ユーザの意図しない印刷物が出力される可能性を減らすことができる。
【手続補正５】
【補正対象書類名】明細書
【補正対象項目名】０１３０
【補正方法】変更
【補正の内容】
【０１３０】
オプション装置が接続されていないと判定された場合、ＣＰＵ１２０は、Ｓ１１０６に処理を進め、オプション装置が接続されていると判定された場合、ＣＰＵ１２０は、Ｓ１１０７に処理を進める。
【手続補正６】
【補正対象書類名】明細書
【補正対象項目名】０１３１
【補正方法】変更
【補正の内容】
【０１３１】
Ｓ１１０６で、ＣＰＵ１２０は、サイズ検知能力を持つシート収納部より、作像部に近いシート収納部を優先して、使用するシート収納部を選択する。Ｓ１１０６の処理の詳細は、図１０を用いて説明する。
【手続補正７】
【補正対象書類名】明細書
【補正対象項目名】０１３２
【補正方法】変更
【補正の内容】
【０１３２】
Ｓ１１０７で、ＣＰＵ１２０は、作像部に近いシート収納部より、サイズ検知能力を持つシート収納部を優先して、使用するシート収納部を選択する。Ｓ１１０７の処理の詳細は、図１１を用いて説明する。
【手続補正書】
【提出日】平成27年5月21日(2015.5.21)
【手続補正１】
【補正対象書類名】特許請求の範囲
【補正対象項目名】全文
【補正方法】変更
【補正の内容】
【特許請求の範囲】
【請求項１】
被験者の生体情報を収集する生体情報収集装置であって、
所定の流体を保持可能な内部空間を有し、被験者からの外的な作用を受けて内圧が変動する被作用体と、
前記内圧の変動を検知する圧力検知手段と、
前記被作用体内の流体を前記圧力検知手段に流通させるための流通手段と、を備え、
前記被作用体は、
それぞれ流体を保持可能な内部空間を有する複数のセルと、
隣接するセル同士を連結させる連結部と、を備え、
前記流通手段は、前記複数のセルのうち所定のセルの幅方向中央部から外れた位置に設けられる
ことを特徴とする生体情報収集装置。
【請求項２】
前記連結部は、前記セルの断面積よりも狭い断面積で形成される絞り部を有し、当該連結部を基点に隣り合うセル同士が接触可能に折り曲げ可能に形成され、
前記被作用体が、折り曲げ状態においても被験者からの外的な作用を受けて内圧が変動し、
前記圧力検知手段は、前記折り曲げ状態における前記内圧の変動についても検知可能である
ことを特徴とする請求項１記載の生体情報収集装置。
【請求項３】
前記所定のセルは、前記複数のセルのうち端に位置するセルである
ことを特徴とする請求項１又は２記載の生体情報収集装置。
【請求項４】
前記絞り部を含む前記被作用体の内部空間を、所定の弾性部材で充填した
ことを特徴とする請求項１〜３のいずれか一項に記載の生体情報収集装置。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】変更
【補正の内容】
【０００８】
本発明は、このような従来の生体情報収集装置が有する問題を解決するために提案されたもので、被験者からの作用を受ける部位の違いによって生じる被作用体における膨張量の片寄りをなくし、安定した生体情報が収集可能な生体情報収集装置の提供を目的とする。
【手続補正４】
【補正対象書類名】明細書
【補正対象項目名】０００９
【補正方法】変更
【補正の内容】
【０００９】
上記目的を達成するため、本発明の生体情報収集装置は、被験者の生体情報を収集する生体情報収集装置であって、所定の流体を保持可能な内部空間を有し、被験者からの外的な作用を受けて内圧が変動する被作用体と、前記内圧の変動を検知する圧力検知手段と、前記被作用体内の流体を前記圧力検知手段に流通させるための流通手段と、を備え、前記被作用体は、それぞれ流体を保持可能な内部空間を有する複数のセルと、隣接するセル同士を連結させる連結部と、を備え、前記流通手段は、前記複数のセルのうち所定のセルの幅方向中央部から外れた位置に設けられる構成としてある。
【手続補正書】
【提出日】平成27年6月19日(2015.6.19)
【手続補正１】
【補正対象書類名】特許請求の範囲
【補正対象項目名】全文
【補正方法】変更
【補正の内容】
【特許請求の範囲】
【請求項１】
ヒトの移植片対宿主病を治療する方法に使用するためのCD200陽性ヒト胎盤幹細胞の集団を含む医薬組成物であって、ここで、前記胎盤幹細胞はエプスタイン-バーウイルス抗原提示B細胞によって刺激されるT細胞増殖を検出可能に抑制し、かつここで、該胎盤幹細胞は栄養膜ではない、前記医薬組成物。
【請求項２】
前記集団中の前記胎盤幹細胞の少なくとも80%が、CD200陽性である、請求項2記載の医薬組成物。
【請求項３】
前記胎盤幹細胞が、混合リンパ球反応（MLR）において、骨髄由来間充織幹細胞よりも強く、リンパ球の増殖を抑制することのできる、請求項1又は2記載の医薬組成物。
【請求項４】
前記T細胞が、CD4+T細胞又はCD8+T細胞である、請求項1〜3のいずれか一項記載の医薬組成物。
【請求項５】
前記組成物が、抗マクロファージ炎症性タンパク質（MIP)-1α又は抗MIP-1β抗体をさらに含み、ここで、前記抗体が、前記組成物を受容したヒト由来の血液中のMIP-1α又はMIP-1βの量の検出可能な下降を引き起こすのに十分な量で存在する、請求項1〜4のいずれか一項記載の医薬組成物。
【請求項６】
前記胎盤幹細胞が、該胎盤幹細胞の非存在下でのT細胞増殖の量と比較して、少なくとも50%、少なくとも75%、少なくとも90%、又は少なくとも95%までCD4+又はCD8+T細胞増殖を抑制する、請求項1〜5のいずれか一項記載の医薬組成物。
【請求項７】
前記胎盤幹細胞が、ナチュラルキラー（NK）細胞の活性を検出可能に抑制する、請求項1〜5のいずれか一項記載の医薬組成物。
【請求項８】
静脈内、筋肉内、若しくは腹腔内投与のために製剤された、又は器官内に直接投与するために製剤された、請求項1〜7のいずれか一項記載の医薬組成物。
【請求項９】
前記組成物が、約1×105、5×105、1×106、5×106、1×107、5×107、1×108、5×108、1×109、5×109、1×1010、5×1010、又は1×1011個の胎盤幹細胞を含む、請求項1〜8のいずれか一項記載の医薬組成物。
【手続補正書】
【提出日】平成27年6月29日(2015.6.29)
【手続補正１】
【補正対象書類名】特許請求の範囲
【補正対象項目名】全文
【補正方法】変更
【補正の内容】
【特許請求の範囲】
【請求項１】
所定の遊技媒体を用いて遊技を行う遊技機であって、
遊技中に、遊技者に示される視聴覚的な演出に用いられる複数種類の演出装置と、
所定の条件下で、前記遊技媒体を遊技者に払い出すための払出装置と、
前記遊技の進行を統合制御する主制御装置と、
前記主制御装置から出力されるコマンドに基づき、前記遊技の遊技状態に応じて前記複数種類の演出装置を制御する演出制御装置と、
前記主制御装置と前記演出制御装置とを接続し、該主制御装置から前記演出制御装置への単方向で信号伝達を行う単方向信号線とを有し、
前記主制御装置は、
前記遊技中に、前記遊技媒体の払い出しに関わる所定の条件の成否を判定する判定部と、
前記判定部による判定結果を含む遊技状態に基づいて、前記演出装置で実行されるべき演出内容を指示する主基板コマンドを前記演出制御装置に出力するコマンド出力部とを有し、
前記演出制御装置は、
前記主制御装置から前記主基板コマンドを入力する入力部と、
前記各演出装置における演出の制御を行うための複数の処理のうち、該演出装置への信号の出力を伴わないものも含めて前記演出制御装置がいずれかの処理をどのような態様で実行すべきかを指示するファンクションおよび該ファンクションの処理に必要な情報を規定するパラメータが、実行すべき順序で複数格納されたスケジュールデータを、それぞれの演出装置に対して複数種類記憶するスケジュールデータ記憶部と、
前記主基板コマンドに基づいて特定される前記遊技状態に応じて、前記スケジュールデータ記憶部に記憶された前記スケジュールデータのいずれかを選択し、該スケジュールデータに格納されたファンクションおよび該ファンクションに対して設定されているパラメータに基づいて前記各演出装置を制御するために、前記演出装置のそれぞれに用意された出力スケジューラ部とを備え、
前記出力スケジューラ部は、
前記スケジュールデータに含まれる前記ファンクションを順次読み込み、読み込んだファンクションおよび該ファンクションに対して設定されているパラメータによって指定された処理を実行し、
前記ファンクションには、前記スケジュールデータ内に格納されたファンクションの順序に拘束されず、前記実行すべき順次で格納された一連のファンクションとは異なるアドレスに格納されたファンクションの実行を指示するためのコールファンクションを含むことができ、
前記コールファンクションの実行時には、一旦、該コールファンクションのパラメータにより指定されたアドレスに格納されたファンクションを順次実行した後に、前記コールファンクション以降の処理を継続して実行し、
さらに前記ファンクションには、所定の分岐条件に応じて処理内容を分岐させる条件分岐命令を含むことができ、
前記条件分岐命令の実行時には、設定された前記分岐条件の成立に基づいて、前記パラメータに指定された情報により、予め設定されたアドレスに移行し、移行したアドレスのファンクションを読み込み、読み込んだファンクションと該ファンクションに対して設定されているパラメータによって指定される処理を実行する、
ことを特徴とする遊技機。
【請求項２】
前記遊技機は、パチンコ式遊技機である請求項１に記載の遊技機。
【請求項３】
前記遊技機は、回胴式遊技機である請求項１に記載の遊技機。
【手続補正書】
【提出日】平成27年6月9日(2015.6.9)
【手続補正１】
【補正対象書類名】特許請求の範囲
【補正対象項目名】全文
【補正方法】変更
【補正の内容】
【特許請求の範囲】
【請求項１】
対称的な左右一対の本体（２）を有する便座クッション（１）であり、
各便座クッション（１）は、Hが380mm〜450mm、Wが170mm〜210mm、W1が100〜140mm、W2が110〜140mm、W3が100〜130mmであり、
ここで、Hは前記便座クッション（１）の縦方向の長さ、Wは前記便座クッション（１）の横方向の長さ、W1は便座の0点から前方へ100mm地点（ａ）における前記便座クッション（１）の幅方向長さ、W2は前記便座の0点から前方へ200mm地点（ｂ）における前記便座クッション（１）の幅方向長さ、W3は前記便座の中央線より平行に40mmずらした地点（ｃ）における前記便座クッション（１）の幅方向長さであり、0点は便座中心線と便座中央開口が交差する後方側であり、
もって、少なくとも太腿と便座（５）が接触する範囲（T及びS）を覆うのに十分な大きさと形状を有することを特徴とする便座クッション。
【請求項２】
前記本体（２）の裏側に滑り止め加工が施された請求項１記載の便座クッション。
【請求項３】
前記本体（２）に取付紐（３）が少なくとも2カ所取り付けられており、そのうちの1本は前記（ｃ）地点付近である請求項１又は２記載の便座クッション。
【請求項４】
前記取付紐（３）がゴムベルト（３１）と面ファスナ（３２）の組み合わせである請求項３に記載の便座クッション。
【請求項５】
前記面ファスナが雌雄面ファスナの組み合わせであり、雌側（３４）が雄側（３３）よりも幅広である請求項４に記載の便座クッション。
【請求項６】
前記Hが390mm〜420mm、前記Wが180mm〜200mm、前記W1が110〜130mm、前記W2が120〜140mm、前記W3が110〜130mmである請求項１〜４のいずれかに記載の便座クッション。
【手続補正２】
【補正対象書類名】明細書
【補正対象項目名】００１６
【補正方法】変更
【補正の内容】
【００１６】
具体的な便座の寸法は、添付の図6において、Hは380mm〜450mm、Wは170mm〜210mm、W1は100〜140mm、W2は110〜140mm、W3は100〜130mmであり（請求項１）、好ましくは、Hは390mm〜420mm、Wは180mm〜200mm、W1は110〜130mm、W2は120〜140mm、W3は110〜130mmであり、もっとも好ましいのは、H≒405mm、W≒185mm、W1≒120mm、W2≒130mm、W3≒115mmである。ここで、Hは便座クッションの縦方向の長さ、Wは便座クッションの横方向の長さ、W1は0点から前方へ100mm地点における前記便座クッションの幅方向長さ、W2は0点から前方へ200mm地点における前記便座クッションの幅方向長さ、W3は中央線より平行に40mmずらした地点における前記便座クッションの幅方向長さである。0点は便座中心線と便座中央開口が交差する後方側である。
【手続補正３】
【補正対象書類名】明細書
【補正対象項目名】００３２
【補正方法】変更
【補正の内容】
【００３２】
取付紐３の雌雄面ファスナは、雌側３４を雄側３３よりも幅広に設定しておくことが好ましい。洗濯のときに、雌雄面ファスナが相互に付着していれば、他の洗濯物に雄側フックが引っ掛かるようなことはないが、雄側フックが一部でも露出していればその恐れがある。そのため、雄側のフックは小さくして露出部分をなくすことが好ましく、そのようにしても付着力に大きな影響はない。しかし、特にそのような配慮が必要のないときには同じ幅の雌雄面ファスナを使用することもできる。
【手続補正４】
【補正対象書類名】明細書
【補正対象項目名】００３５
【補正方法】変更
【補正の内容】
【００３５】
１     便座クッション
２     本体
２１   本体表面
２２   本体裏側
３     取付紐
３１   ゴムバンド
３２   面ファスナ
３３   雄側取付紐
３４   雌側取付紐
４     便器
５     便座
６     露出部
【手続補正書】
【提出日】平成27年8月6日(2015.8.6)
【手続補正１】
【補正対象書類名】特許請求の範囲
【補正対象項目名】請求項１
【補正方法】変更
【補正の内容】
【請求項１】
少なくとも刃先にｃＢＮ焼結体又はダイヤモンド焼結体からなる超高圧焼結体を有する焼入鋼または耐熱合金の切削用の超高圧焼結体工具であって、噴出口が工具の刃先コーナ部直下の逃げ面に開口した給油孔を内部に有し、その給油孔の前記噴出口の中心から切れ刃までの距離が０．３ｍｍ以上、３ｍｍ以下であり、前記逃げ面に対して、前記噴出口の向きが２０°以上、７０°以下の角度を有することを特徴とする逃げ面内部給油孔付き超高圧焼結体工具。
【手続補正２】
【補正対象書類名】明細書
【補正対象項目名】０００１
【補正方法】変更
【補正の内容】
【０００１】
この発明は、立方晶窒化硼素（以下、ｃＢＮ）又はダイヤモンド焼結体を刃先に有する超高圧焼結体工具、詳しくは、焼入鋼または耐熱合金の高速切削において長寿命を発揮し、同時に加工面品位も向上させる内部給油孔付き超高圧焼結体工具とそれを用いた切削加工方法に関する。
【手続補正３】
【補正対象書類名】明細書
【補正対象項目名】００１１
【補正方法】変更
【補正の内容】
【００１１】
そこで、この発明は、少なくとも刃先にｃＢＮ焼結体やダイヤモンド焼結体を有する超高圧焼結体工具の冷却構造を工夫することで、焼入鋼または耐熱合金の高速切削に利用する工具の長寿命化を図り、同時に、加工変質層の生成を抑制して加工面品位を向上させることを課題としている。
【手続補正４】
【補正対象書類名】明細書
【補正対象項目名】００１２
【補正方法】変更
【補正の内容】
【００１２】
上記の課題を解決するため、この発明においては、刃先に超高圧焼結体を有する焼入鋼または耐熱合金の切削用の超高圧焼結体工具を以下の通りに構成した。すなわち、切削に関与する刃先コーナ部（ノーズＲ部）直下の逃げ面に噴出口が開口する給油孔を内部に有し、その給油孔の前記噴出口の中心から切れ刃までの距離が０．３ｍｍ以上、３ｍｍ以下であり、前記逃げ面に対して、前記噴出口の向きが２０°以上、７０°以下の角度を有するものにした。
【手続補正書】
【提出日】平成27年1月30日(2015.1.30)
【手続補正１】
【補正対象書類名】特許請求の範囲
【補正対象項目名】全文
【補正方法】変更
【補正の内容】
【特許請求の範囲】
【請求項１】
第１制御手段と、該第１制御手段と通信可能に接続された第２制御手段とを備えた遊技用システムであって、
前記第１制御手段と前記第２制御手段との間で認証鍵を用いて相互認証処理を行なう相互認証処理手段と、
上位装置から送信される情報に基づいて、前記認証鍵の更新を行なう認証鍵更新手段と、
前記相互認証処理手段による認証結果を通知する通知手段とを備え、
前記相互認証処理手段は、前記認証鍵更新手段により前記認証鍵の更新が行なわれたときに、該更新された認証鍵を用いて再度相互認証処理を行なう、遊技用システム。
【請求項２】
第１制御手段と、該第１制御手段と通信可能に接続された第２制御手段とを備えた遊技機器であって、
前記第１制御手段と前記第２制御手段との間で認証鍵を用いて相互認証処理を行なう相互認証処理手段と、
上位装置から送信される情報に基づいて、前記認証鍵の更新を行なう認証鍵更新手段と、
前記相互認証処理手段による認証結果を通知する通知手段とを備え、
前記相互認証処理手段は、前記認証鍵更新手段により前記認証鍵の更新が行なわれたときに、該更新された認証鍵を用いて再度相互認証を行なう、遊技機器。
【手続補正２】
【補正対象書類名】明細書
【補正対象項目名】０００７
【補正方法】変更
【補正の内容】
【０００７】
（１）  本発明は、第１制御手段（セキュリティチップ３２５ｂ、またはＣＵ３、Ｐ台２、ジェットカウンタ、ＰＯＳ端末等）と、該第１制御手段と通信可能に接続された第２制御手段（通信制御ＩＣ３２５ａ、またはＣＵ３、Ｐ台２、ジェットカウンタ、ＰＯＳ端末等）とを備えた遊技用システムであって、
前記第１制御手段と前記第２制御手段との間で認証鍵を用いて相互認証処理を行なう相互認証処理手段（図１４６の第１認証シーケンス〜第３認証シーケンス）と、
上位装置から送信される情報に基づいて、前記認証鍵の更新を行なう認証鍵更新手段（図１４７：ＳＣからの認証鍵更新要求にしたがって通信制御ＩＣが認証鍵の更新を行なう）と、
前記相互認証処理手段による認証結果を通知する通知手段とを備え、
前記相互認証処理手段は、前記認証鍵更新手段により前記認証鍵の更新が行なわれたときに、該更新された認証鍵を用いて再度相互認証処理を行なう（図１４７：再度第１認証シーケンスから認証を実施する）。
【手続補正３】
【補正対象書類名】明細書
【補正対象項目名】００１３
【補正方法】変更
【補正の内容】
【００１３】
（４）  本発明の他の態様は、第１制御手段（セキュリティチップ３２５ｂ）と、該第１制御手段と通信可能に接続された第２制御手段（通信制御ＩＣ３２５ａ）とを備えた遊技機器（ＣＵ３、Ｐ台２、ジェットカウンタ、ＰＯＳ端末等）であって、
前記第１制御手段と前記第２制御手段との間で認証鍵を用いて相互認証処理を行なう相互認証処理手段（図１４６の第１認証シーケンス〜第３認証シーケンス）と、
上位装置から送信される情報に基づいて、前記認証鍵の更新を行なう認証鍵更新手段（図１４７：ＳＣからの認証鍵更新要求にしたがって通信制御ＩＣが認証鍵の更新を行なう）と、
前記相互認証処理手段による認証結果を通知する通知手段とを備え、
前記相互認証処理手段は、前記認証鍵更新手段により前記認証鍵の更新が行なわれたときに、該更新された認証鍵を用いて再度相互認証処理を行なう（図１４７：再度第１認証シーケンスから認証を実施する）。
【手続補正書】
【提出日】平成27年1月30日(2015.1.30)
【手続補正１】
【補正対象書類名】特許請求の範囲
【補正対象項目名】全文
【補正方法】変更
【補正の内容】
【特許請求の範囲】
【請求項１】
第１制御手段と、該第１制御手段と通信可能に接続された第２制御手段とを備えた遊技用システムであって、
遊技場への出荷前の前記第１制御手段が上位装置と通信できない場合に、前記第１制御手段と前記第２制御手段との間でテスト用鍵を利用して出荷前の通信処理を行なう出荷前処理手段と、
遊技場に納入され前記第１制御手段が前記上位装置と通信できる場合に、前記第１制御手段と前記第２制御手段との間で前記上位装置から取得した認証鍵を利用して遊技場での実稼働時の通信処理を行なう実稼働処理手段とを備える、遊技用システム。
【請求項２】
第１制御手段と、該第１制御手段と通信可能に接続された第２制御手段とを備えた遊技機器であって、
遊技場への出荷前の前記第１制御手段が上位装置と通信できない場合に、前記第１制御手段と前記第２制御手段との間でテスト用鍵を利用して出荷前の通信処理を行なう出荷前処理手段と、
遊技場に納入され前記第１制御手段が前記上位装置と通信できる場合に、前記第１制御手段と前記第２制御手段との間で前記上位装置から取得した認証鍵を利用して遊技場での実稼働時の通信処理を行なう実稼働処理手段とを備える、遊技機器。
【手続補正２】
【補正対象書類名】明細書
【補正対象項目名】０００９
【補正方法】変更
【補正の内容】
【０００９】
（１）  本発明は、第１制御手段（ＣＵ制御部３２３、またはＣＵ３、Ｐ台２、ジェットカウンタ、ＰＯＳ端末等）と、該第１制御手段と通信可能に接続された第２制御手段（セキュリティチップ３２５ｂ、またはＣＵ３、Ｐ台２、ジェットカウンタ、ＰＯＳ端末等）とを備えた遊技用システムであって、
遊技場への出荷前の前記第１制御手段が上位装置と通信できない場合に、前記第１制御手段と前記第２制御手段との間でテスト用鍵を利用して出荷前の通信処理を行なう出荷前処理手段（図１２５：基板出荷鍵による通信テスト電文の通信）と、
遊技場に納入され前記第１制御手段が前記上位装置と通信できる場合に、前記第１制御手段と前記第２制御手段との間で前記上位装置から取得した認証鍵（基板認証鍵）を利用して遊技場での実稼働時の通信処理を行なう実稼働処理手段（図１２４の遊技機との業務電文通信）とを備える。
【手続補正３】
【補正対象書類名】明細書
【補正対象項目名】００１５
【補正方法】変更
【補正の内容】
【００１５】
（４）  本発明の他の態様は、第１制御手段（ＣＵ制御部３２３、またはＣＵ３、Ｐ台２、ジェットカウンタ、ＰＯＳ端末等）と、該第１制御手段と通信可能に接続された第２制御手段（セキュリティチップ３２５ｂ、またはＣＵ３、Ｐ台２、ジェットカウンタ、ＰＯＳ端末等）とを備えた遊技機器（ＣＵ３、Ｐ台２、ジェットカウンタ、ＰＯＳ端末等）であって、
遊技場への出荷前の前記第１制御手段が上位装置と通信できない場合に、前記第１制御手段と前記第２制御手段との間でテスト用鍵を利用して出荷前の通信処理を行なう出荷前処理手段（図１２５：基板出荷鍵による通信テスト電文の通信）と、
遊技場に納入され前記第１制御手段が前記上位装置と通信できる場合に、前記第１制御手段と前記第２制御手段との間で前記上位装置から取得した認証鍵（基板認証鍵）を利用して遊技場での実稼働時の通信処理を行なう実稼働処理手段（図１２４の遊技機との業務電文通信）とを備える。
【手続補正書】
【提出日】平成27年2月19日(2015.2.19)
【手続補正１】
【補正対象書類名】特許請求の範囲
【補正対象項目名】全文
【補正方法】変更
【補正の内容】
【特許請求の範囲】
【請求項１】
遊技動作を制御する第１の制御手段と、
遊技に関する演出を実行する演出手段と、
前記第１の制御手段から受けた制御コマンドに基づいて、前記演出手段による演出を制御する第２の制御手段と、備える遊技機であって、
前記第１の制御手段は、
所定の始動条件に基づいて、少なくとも第１の当りおよび第２の当りを含む複数種類の当りを対象に抽選を実行する抽選手段と、
前記抽選手段により前記複数種類の当りのうちいずれかの当りに当選したことに基づいて、大入賞口を所定の動作パターンで開閉動作させるラウンド遊技を複数回実行する当り遊技を発生させるものであって、その当選した当りに応じた当り遊技を発生させる特別遊技制御手段と、
前記当り遊技中に、前記制御コマンドとして、当該当り遊技中に利用される当り中コマンドを前記第２の制御手段に送信可能なコマンド送信手段と、を備え、
前記当り遊技は、初回のラウンド遊技開始前に置かれる当り開始時期間と、前記ラウンド遊技が実行されるラウンド遊技中期間とを含んで構成されており、
前記当り中コマンドには、前記当り開始時期間が開始されるときに前記第２の制御手段に対して送信される当り遊技開始時コマンドと、前記ラウンド遊技中期間が開始されるときに前記第２の制御手段に対して送信されるラウンド遊技開始コマンドとが含まれ、
前記第１の当りに係るラウンド遊技と前記第２の当り係るラウンド遊技とは、少なくとも前記ラウンド遊技に係る大入賞口の開閉動作パターンが異なるように定められており、
前記コマンド送信手段は、
前記第１の当りの場合には、前記当り遊技開始時コマンドと前記ラウンド遊技開始コマンドを送信するように構成され、
前記第２の当りの場合には、前記当り遊技開始時コマンドを送信するが前記ラウンド遊技開始コマンドは送信しないように構成され、
前記第２の制御手段は、
前記第１の当りの場合には、その当り遊技中の演出として、前記当り遊技開始時コマンドに基づいて、前記当り開始時期間に係る開始時演出を実行し、
前記ラウンド遊技開始コマンドに基づいて、前記ラウンド遊技中期間に係るラウンド演出を実行するように構成され、
前記第２の当りの場合には、その当り遊技中の演出として、前記当り遊技開始時コマンドに基づいて、前記当り開始時期間に係る開始時演出と前記ラウンド遊技中期間に係るラウンド演出とを実行するように構成された、
ことを特徴とする遊技機。
【請求項２】
前記当り遊技開始時コマンドには、前記当りの種別を特定可能な情報が含まれ、
前記前記ラウンド遊技開始コマンドには、今回のラウンド遊技に関するラウンド数を特定可能な情報が含まれる、
ことを特徴とする請求項１に記載の遊技機。
【請求項３】
前記当り遊技は、
前記規定ラウンド数が終了した後に置かれる当り遊技終了期間をさらに含んで構成され、
前記当り中コマンドには、
前記当り遊技終了期間が開始されるときに前記第２の制御手段に対して送信される当り遊技終了コマンドがさらに含まれ、
前記コマンド送信手段は、
いずれの当りの場合であっても、前記当り遊技終了コマンドを送信するように構成され、
前記第２の制御手段は、
報知すべき現在の遊技状態に関連した演出モードの移行設定を制御可能に構成された演出モード移行制御手段を備え、
前記演出モード移行制御手段は、前記当り遊技終了コマンドに基づいて、前記当り遊技が終了した後に報知すべき遊技状態に関連した演出モードを決定する、
ことを特徴とする請求項１または２に記載の遊技機。
【手続補正２】
【補正対象書類名】明細書
【補正対象項目名】０００５
【補正方法】変更
【補正の内容】
【０００５】
上述の演出制御コマンドは、主制御部側における遊技動作制御の進行状況に応じたタイミングで送信され、その送信タイミングは、あらかじめ遊技動作プログラムにより定められている。しかし遊技進行上、所定のタイミングで送信していた演出制御コマンドを送信する必要がなくなったり、またその逆に、送信する必要が生じたりするケースがある。
【手続補正３】
【補正対象書類名】明細書
【補正対象項目名】０００６
【補正方法】変更
【補正の内容】
【０００６】
上述のようなケースにおいて、演出制御部側が不必要な演出制御コマンドを受信した場合、これを無効として扱う等の処理を設けることも考えられるが、演出制御に無関係なコマンドを無闇に送ることは、演出制御部側の制御負担の増加を招き好ましくない。
【手続補正４】
【補正対象書類名】明細書
【補正対象項目名】０００７
【補正方法】変更
【補正の内容】
【０００７】
そこで本発明は、演出制御コマンドの送信処理に関し、演出制御部側の制御負担を軽減しうる遊技機を提供することを目的とする。
【手続補正５】
【補正対象書類名】明細書
【補正対象項目名】００１１
【補正方法】変更
【補正の内容】
【００１１】
本発明によれば、演出制御コマンドの送信処理に関し、演出制御部側の制御負担を軽減することができる。
【手続補正書】
【提出日】平成27年8月12日(2015.8.12)
【手続補正１】
【補正対象書類名】特許請求の範囲
【補正対象項目名】全文
【補正方法】変更
【補正の内容】
【特許請求の範囲】
【請求項１】
無線基地局に対して、非同期状態の異なる無線基地局配下のコンポーネントキャリアを用いたキャリアアグリゲーションを行うことができるか否かについて示す能力情報を送信するように構成されている送信部を具備することを特徴とする移動局。
【請求項２】
前記送信部は、前記キャリアアグリゲーションにおいて用いることができる無線基地局の数を通知するように構成されていることを特徴とする請求項１に記載の移動局。
【請求項３】
前記送信部は、前記キャリアアグリゲーションにおいて用いることができるコンポーネントキャリアの数を通知するように構成されていることを特徴とする請求項１に記載の移動局。
【請求項４】
前記送信部は、時間単位ごとの前記能力情報を送信するように構成されていることを特徴とする請求項１乃至３のいずれか一項に記載の移動局。
【請求項５】
前記送信部は、周波数バンドごとに、前記能力情報を送信するように構成されていることを特徴とする請求項１乃至３のいずれか一項に記載の移動局。
【請求項６】
前記送信部は、通信機能部ごとに、前記能力情報を送信するように構成されていることを特徴とする請求項１乃至３のいずれか一項に記載の移動局。
【請求項７】
前記送信部は、キャリアアグリゲーションバンドコンビネーションごとに、前記能力情報を送信するように構成されていることを特徴とする請求項１乃至３のいずれか一項に記載の移動局。
【請求項８】
移動局から、非同期状態の異なる無線基地局配下のコンポーネントキャリアを用いたキャリアアグリゲーションを行うことができるか否かについて示す能力情報を受信するように構成されている受信部と、
前記能力情報に基づいて、前記移動局に対して、前記キャリアアグリゲーションを行うか否かについて決定するように構成されている制御部とを具備することを特徴とする無線基地局。
【請求項９】
無線基地局であって、
他の無線基地局との間で、同期を取ることができる時間単位について通知し合うように構成されていることを特徴とする無線基地局。
【手続補正２】
【補正対象書類名】明細書
【補正対象項目名】０００２
【補正方法】変更
【補正の内容】
【０００２】
ＬＴＥ（Ｌｏｎｇ  Ｔｅｒｍ  Ｅｖｏｌｕｔｉｏｎ）方式のＲｅｌｅａｓｅ-１０において、図５（ａ）に示すように、２０ＭＨｚを超える広帯域通信（例えば、１００ＭＨｚの通信）を実現するために、同一の無線基地局ｅＮＢ配下の複数のＣＣ（Ｃｏｍｐｏｎｅｎｔ  Ｃａｒｒｉｅｒ：コンポーネントキャリア）を束ねて通信を行う「Ｉｎｔｒａ-ｅＮＢ  ＣＡ（Ｃａｒｒｉｅｒ  Ａｇｇｒｅｇａｔｉｏｎ：キャリアアグリゲーション）」が導入された。
【手続補正書】
【提出日】平成27年2月26日(2015.2.26)
【手続補正１】
【補正対象書類名】明細書
【補正対象項目名】０２２２
【補正方法】削除
【補正の内容】
【手続補正２】
【補正対象書類名】明細書
【補正対象項目名】０２２３
【補正方法】削除
【補正の内容】
【手続補正３】
【補正対象書類名】特許請求の範囲
【補正対象項目名】全文
【補正方法】変更
【補正の内容】
【特許請求の範囲】
【請求項１】
コンテンツの再生を制御する再生制御部を備え、
前記再生制御部は、他の機器で前記コンテンツの再生を引き続き行わせる指示を受けたとき、所定の時間、前記コンテンツの再生を継続したあと、前記コンテンツの再生を停止する
再生装置。
【請求項２】
前記他の機器が前記コンテンツの再生の準備に係る時間に関する時間情報を取得し、前記時間情報に基づき、前記他の機器で再生を開始する前記コンテンツの再生位置を決定し、前記他の機器に通知する通知部をさらに備える
請求項１に記載の再生装置。
【請求項３】
前記再生制御部は、前記通知部による通知後に所定の時間が経過した時点で、前記コンテンツの再生を停止する
請求項２に記載の再生装置。
【請求項４】
前記他の機器に、前記コンテンツの再生の指示を出すとき、ミュートの指示も出し、
前記他の機器での前記コンテンツの再生の開始を検知したとき、前記ミュートの解除の指示を出す
請求項１乃至３のいずれかに記載の再生装置。
【請求項５】
前記他の機器に、前記コンテンツの再生の指示を出すとき、空のデータを前記他の機器に送信し、
前記他の機器での前記コンテンツの再生の開始を検知したとき、前記空のデータの送信を停止する
請求項１乃至４のいずれかに記載の再生装置。
【請求項６】
前記時間情報は、前記他の機器で前記コンテンツの再生を引き続き行わせる指示を受けるより前の時点で取得され、ネットワークに接続されている機器から取得されるか、前記他の機器で前記コンテンツの再生を引き続き行わせる指示を受けたときに、前記他の機器から取得される
請求項２乃至５のいずれかに記載の再生装置。
【請求項７】
前記時間情報は、前記他の機器に所定のコンテンツを再生させたときの情報、前記他の機器に、所定のデータを送信したときに処理に係った時間、または前記他の機器が、コンテンツのサイズや種類に応じた処理時間として保持している情報のいずれかである
請求項２乃至６のいずれかに記載の再生装置。
【請求項８】
前記他の機器の機器が保持している情報は、前記他の機器がコンテンツを再生したときに更新される
請求項７に記載の再生装置。
【請求項９】
前記他の機器は、前記コンテンツの再生を引き続き行う指示を受けたとき、前記コンテンツの再生準備に係る時間を計算し、その時間に基づき再生位置を決定し、再生を開始し、
前記再生制御部は、前記他の機器での前記コンテンツの再生が開始されたことと検知した時点、または検知し、所定の時間が経過した後、前記コンテンツの再生を停止する
請求項１乃至８のいずれかに記載の再生装置。
【請求項１０】
前記再生制御部は、前記コンテンツの再生を継続している間、前記他の装置で再生準備が行われていることをユーザに認識させるメッセージの表示も制御する
請求項１乃至９のいずれかに記載の再生装置。
【請求項１１】
前記再生制御部は、前記コンテンツの再生を継続しているときに、前記他の装置で前記コンテンツの再生が開始されたことを検知すると、前記コンテンツの再生を停止するまでの時間をユーザに認識させる表示も制御する
請求項１乃至１０のいずれかに記載の再生装置。
【請求項１２】
前記他の機器で前記コンテンツの再生を引き続き行わせる指示を受けた時点で前記コンテンツの再生を停止する第１の再生と、前記他の機器で前記コンテンツの再生を開始した時点で前記コンテンツの再生を停止する第２の再生とを、ユーザの指示により切り換えるか、前記コンテンツのジャンルにより切り換えるか、または前記他の機器の処理能力に応じて切り換える
請求項１乃至１１のいずれかに記載の再生装置。
【請求項１３】
コンテンツの再生を制御する再生制御部を備える再生装置の再生方法において、
前記再生制御部が、他の機器で前記コンテンツの再生を引き続き行わせる指示を受けたとき、所定の時間、前記コンテンツの再生を継続したあと、前記コンテンツの再生を停止するステップを含む
再生方法。
【請求項１４】
コンテンツの再生を制御する再生制御部を備える再生装置を制御するコンピュータに、
前記再生制御部が、他の機器で前記コンテンツの再生を引き続き行わせる指示を受けたとき、所定の時間、前記コンテンツの再生を継続したあと、前記コンテンツの再生を停止するステップを含む
処理を実行させるコンピュータが読み取り可能なプログラムを記録している記録媒体。
【手続補正書】
【提出日】平成26年11月21日(2014.11.21)
【手続補正１】
【補正対象書類名】特許請求の範囲
【補正対象項目名】全文
【補正方法】変更
【補正の内容】
【特許請求の範囲】
【請求項１】
無線送受信装置（ＷＴＲＵ）であって、
下りリンク信号チャネルを介して、上りリンク送信のための物理リソースの割当を受信するように構成された制御装置を備え、
前記制御装置は、割り当てられた物理リソースを介して、ハイブリッド自動再送要求（Ｈ−ＡＲＱ）プロセスを用いて第１のブロックを送信するようにさらに構成され、
前記制御装置は、前記第１のブロックの送信に応じて、タイマーを初期化するようにさらに構成され、
前記制御装置は、前記タイマーの満了および物理リソースの割当を受信していないことに応じて、上りリンク信号チャネルを介して、物理リソースの割当の要求を送信するようにさらに構成され、
前記制御装置は、前記要求に応じて、下りリンク信号チャネルを介して、物理リソースの割当を受信するようにさらに構成され、
前記制御装置は、前記物理リソースの割当に応じて、前記Ｈ−ＡＲＱプロセスを用いて第２のブロックを送信するようにさらに構成されたことを特徴とするＷＴＲＵ。
【請求項２】
前記第１のブロックの送信は、他のデータの送信より優先されることを特徴とする請求項１に記載のＷＴＲＵ。
【請求項３】
前記制御装置は、前記第１のブロックの送信を初期化する論理チャネルのデータを受信するようにさらに構成されたことを特徴とする請求項１に記載のＷＴＲＵ。
【請求項４】
前記制御装置は、前記第２のブロックの送信のための物理リソースの割当の受信に応じて、前記タイマーをリスタートするようにさらに構成されたことを特徴とする請求項１に記載のＷＴＲＵ。
【請求項５】
無線送受信装置（ＷＴＲＵ）により実行される方法であって、
下りリンク信号チャネルを介して、上りリンク送信のための物理リソースの割当を受信することと、
割り当てられた物理リソースを介して、ハイブリッド自動再送要求（Ｈ−ＡＲＱ）プロセスを用いて第１のブロックを送信することと、
前記第１のブロックを送信することに応じて、タイマーを初期化することと、
前記タイマーの満了および物理リソースの割当を受信していないことに応じて、上りリンク信号チャネルを介して、物理リソースの割当の要求を送信することと、
前記要求に応じて、下りリンク信号チャネルを介して、物理リソースの割当を受信することと、
前記物理リソースの割当に応じて、前記Ｈ−ＡＲＱプロセスを用いて第２のブロックを送信することと
を備えたことを特徴とする方法。
【請求項６】
前記第１のブロックを送信することは、他のデータを送信することより優先されることを特徴とする請求項５に記載の方法。
【請求項７】
前記第１のブロックの送信を初期化する論理チャネルのデータを受信することをさらに備えたことを特徴とする請求項５に記載の方法。
【請求項８】
前記第２のブロックの送信のための物理リソースの割当を受信することに応じて、前記タイマーをリスタートすることをさらに備えたことを特徴とする請求項５に記載の方法。